【手続補正書】
【提出日】平成18年3月1日(2006.3.1)
【手続補正１】
【補正対象書類名】特許請求の範囲
【補正対象項目名】全文
【補正方法】変更
【補正の内容】
【特許請求の範囲】
【請求項１】
データ・ネットワーク装置の別の機能回路と一体化されたアンテナ制御インタフェースを備えたワイヤレス・データ・ネットワーク装置であって、
このアンテナ制御インタフェースが、適応アンテナ・アレーのパラメータを設定する回路に１つまたは複数の制御信号を提供して、前記制御信号の状態を変えることによって適応アンテナ・アレーのパラメータを制御し、前記アンテナ制御インタフェースが、適応アンテナ・アレーのパラメータを設定する回路を有するアセンブリではないアセンブリに配置されている、ワイヤレス・データ・ネットワーク装置。
【請求項２】
請求項１において、前記制御信号が、適応アンテナ・アレーの種類を決定するように状態情報を提供する、ワイヤレス・データ・ネットワーク装置。
【請求項３】
請求項１において、前記アンテナ制御インタフェースが、一組のパラレルな双方向デジタル信号線を含むワイヤレス・データ・ネットワーク装置。
【請求項４】
請求項１において、前記アンテナ制御インタフェースが、少なくとも１本のシリアルな入力／出力信号線を含むワイヤレス・データ・ネットワーク装置。
【請求項５】
請求項１において、前記アンテナ制御インタフェースが、一組のパラレルなアナログ入力／出力制御信号線を含むワイヤレス・データ・ネットワーク装置。
【請求項６】
請求項５において、前記アナログ制御信号が、前記適応アンテナ・アレーの素子の位相パラメータを制御するワイヤレス・データ・ネットワーク装置。
【請求項７】
請求項５において、前記アナログ制御信号が、前記アンテナ・アレーの素子の振幅パラメータを制御するワイヤレス・データ・ネットワーク装置。
【請求項８】
請求項５において、前記アナログ制御信号が、前記アンテナ・アレーの素子のインピーダンス・パラメータを制御するワイヤレス・データ・ネットワーク装置。
【請求項９】
請求項１において、前記ワイヤレス・データ・ネットワークが、ワイヤレス・ローカル・エリア・ネットワークであるワイヤレス・データ・ネットワーク装置。
【請求項１０】
請求項１において、前記ワイヤレス・データ・ネットワークが、セルラー・ワイヤレス・ネットワークであるワイヤレス・データ・ネットワーク装置。
【請求項１１】
請求項１において、前記アンテナ制御インタフェースが、回路基板上で別のワイヤレス・データ・アクセス回路と一体化されるワイヤレス・データ・ネットワーク装置。
【請求項１２】
請求項１１において、前記別のワイヤレス・データ・アクセス回路が、ワイヤレス無線送／受信回路を備えるワイヤレス・データ・ネットワーク装置。
【請求項１３】
請求項１１において、前記別のワイヤレス・データ・アクセス回路が、ワイヤレス・データ・モデム回路を備えるワイヤレス・データ・ネットワーク装置。
【請求項１４】
請求項１において、前記ワイヤレス・データ・ネットワーク装置が、ワイヤレス・ローカル・エリア・ネットワークにおけるアクセス・ポイントであるワイヤレス・データ・ネットワーク装置。
【請求項１５】
請求項１において、前記ワイヤレス・データ・ネットワーク装置が、局装置であるワイヤレス・データ・ネットワーク装置。
【請求項１６】
請求項１において、前記制御インタフェースおよび別のワイヤレス・データ部品が、ＰＣＭＣＩＡカードに実装されているワイヤレス・データ・ネットワーク装置。
【請求項１７】
請求項１において、前記制御インタフェースが、特定用途向け集積回路（ＡＳＩＣ）、プログラマブル論理アレー（ＰＬＡ）、フィールド・プログラマブル・ゲート・アレー（ＦＰＧＡ）、または複合プログラマブル論理デバイス（ＣＰＬＤ）の１つとして実装されているワイヤレス・データ・ネットワーク装置。
【請求項１８】
請求項３において、前記制御線が、アンテナ・アレーの存在または非存在を示すようにバイアス抵抗に接続されているワイヤレス・データ・ネットワーク装置。
【請求項１９】
請求項１８において、前記バイアス抵抗が、アンテナ・アレー形態情報を示すワイヤレス・データ・ネットワーク装置。
【請求項２０】
適応アンテナ・アレーの別の機能の実行と一体化する方法で制御信号の状態を変更することによって前記適応アンテナ・アレーのパラメータを制御し、
前記適応アンテナ・アレーのパラメータを設定する回路を有するアセンブリではないアセンブリにおいて生じるパラメータを制御して、前記適応アンテナ・アレーのパラメータを設定する回路により受信可能な形式の前記制御信号を出力する、適応アンテナ・アレーの制御方法。
【請求項２１】
請求項２０において、さらに、前記制御信号に基づいて前記適応アンテナ・アレーの種類を決定する、適応アンテナ・アレーの制御方法。
【請求項２２】
請求項２０において、さらに、パラレルな双方向デジタル信号を使用して前記適応アンテナ・アレーと通信する、適応アンテナ・アレーの制御方法。
【請求項２３】
請求項２０において、さらに、少なくとも１つのシリアルな入力／出力信号を使用して前記適応アンテナ・アレーと通信する、適応アンテナ・アレーの制御方法。
【請求項２４】
請求項２０において、さらに、パラレルなアナログ入力／出力制御信号を使用して前記適応アンテナ・アレーと通信する、適応アンテナ・アレーの制御方法。
【請求項２５】
請求項２４において、前記アナログ制御信号が、前記適応アンテナ・アレー素子の位相パラメータを制御する、適応アンテナ・アレーの制御方法。
【請求項２６】
請求項２４において、前記アナログ制御信号が、前記適応アンテナ・アレー素子の振幅パラメータを制御する、適応アンテナ・アレーの制御方法。
【請求項２７】
請求項２４において、前記アナログ制御信号が、前記適応アンテナ・アレーの素子のインピーダンス・パラメータを制御する、適応アンテナ・アレーの制御方法。
【請求項２８】
請求項２０において、ワイヤレス・ローカル・エリア・ネットワーク（ＷＬＡＮ）において用いられる、適応アンテナ・アレーの制御方法。
【請求項２９】
請求項２０において、セルラー・ワイヤレス・ネットワークにおいて用いられる、適応アンテナ・アレーの制御方法。
【請求項３０】
請求項２０において、制御信号の状態の変更が、別のワイヤレス・データ・アクセス機能を達成する回路基板上で実行される、適応アンテナ・アレーの制御方法。
【請求項３１】
請求項３０において、前記別のワイヤレス・データ・アクセス機能が、ワイヤレス無線送／受信機能を含む、適応アンテナ・アレーの制御方法。
【請求項３２】
請求項３０において、前記別のワイヤレス・データ・アクセス機能が、ワイヤレス・データ・モデム機能を含む、適応アンテナ・アレーの制御方法。
【請求項３３】
請求項２０において、ワイヤレス・ローカル・エリア・ネットワークのアクセス・ポイントにおいて用いられる、適応アンテナ・アレーの制御方法。
【請求項３４】
請求項２０において、前記ワイヤレス・データ・ネットワーク装置が局装置である、適応アンテナ・アレーの制御方法。
【請求項３５】
請求項２０において、別のワイヤレス・データ機能と共にＰＣＭＣＩＡカードに実装される、適応アンテナ・アレーの制御方法。
【請求項３６】
請求項２０において、特定用途向け集積回路（ＡＳＩＣ）、プログラマブル論理アレー（ＰＬＡ）、フィールド・プログラマブル・ゲート・アレー（ＦＰＧＡ）、または複合プログラマブル論理デバイス（ＣＰＬＤ）の少なくとも１つに実装されている、適応アンテナ・アレーの制御方法。
【請求項３７】
請求項２２において、さらに、アンテナ・アレーの存在または非存在を決定するように、前記制御信号を観測する、適応アンテナ・アレーの制御方法。
【請求項３８】
請求項３７において、前記観測された制御信号の状態がアンテナ・アレー形態情報を示す、適応アンテナ・アレーの制御方法。
【請求項３９】
データ・ネットワーク装置の別の機能回路と一体化されたアンテナ制御インタフェース手段であって、このインタフェース手段が、適応アンテナ・アレーのパラメータを設定する手段に１つまたは複数の制御信号を提供して、適応アンテナ・アレーを制御し、適応アンテナ・アレーのパラメータを設定する手段を有するアセンブリではないアセンブリに配置された、アンテナ制御インタフェース手段と、
前記制御信号の状態を変更する変更手段とを備えた、ワイヤレス・データ・ネットワーク装置。